(57)【特許請求の範囲】
【請求項１】
テープを円筒状のコア材に巻回してなるロールを固定する梱包器具であって、
前記コア材の内部に挿通可能な断面形状を有する中芯と、
略中心部に前記中芯の断面形状と略同じ形状の穴を有するプレートとを備え、
前記中芯を前記ロールのコア材に挿通し、かつ該中芯の両端に前記プレートを嵌合させることにより、前記ロールを前記中芯から脱落不能に保持可能であり、
前記コア材は、テープの幅よりも長く構成されており、連接した前記ロール同士において前記テープの側面が接触しないよう構成されているか、前記コア材の幅が前記テープの幅と略等しい場合には、コア材と断面形状が略等しいリング形状のスリーブを前記ロールの間に挿入することにより、テープ同士の接触を防止し、
前記テープが感光性ドライフィルムレジストであって、
前記ロールは保持された状態において擦動により回転自在に軸支されていることを特徴とするロール固定梱包器具。
【請求項２】
前記中芯は前記コア材の幅の複数倍以上の長さを有し、複数の前記ロールを保持可能であることを特徴とする請求項１記載のロール固定梱包器具。
【請求項３】
前記中芯の断面形状は前記コア材の内径に収まる形状であることを特徴とする請求項１記載のロール固定梱包器具。
【請求項４】
前記中芯の両端に嵌合するプレートのうち一方は、該中芯に固着し、もしくは該中芯と一体成形したことを特徴とする請求項１記載のロール固定梱包器具。
【請求項５】
前記プレートは、外縁に少なくとも一つの直線部を備えていることを特徴とする請求項１記載のロール固定梱包器具。
【請求項６】
さらに遮光性シートを備え、
前記中芯は少なくとも一端に開口した中空形状を有し、
前記遮光性シートは、前記ロールを保持した状態の前記中芯およびプレートを覆ったうえで、端部を前記中芯の開口に収容可能であることを特徴とする請求項１記載のロール固定梱包器具。
【請求項７】
前記遮光性シートは、前記中芯の端部方向両端が開口したチューブ状、もしくは一端が開口した袋状であることを特徴とする請求項６記載のロール固定梱包器具。
【請求項８】
さらにプラスチック製の箱を備え、
前記箱は、前記ロールを保持した状態の前記中芯およびプレート、または前記ロールを保持し前記遮光シートにて覆った状態の前記中芯およびプレートを収容可能であって、
底面に対して側面および天面が展開可能であり、
側面および天面の接片を着脱可能な係止部材を備えたことを特徴とする請求項１または請求項６記載のロール固定梱包器具。
【請求項９】
前記係止部材は、面ファスナーもしくはスナップホックであることを特徴とする請求項８記載のロール固定梱包器具。
【請求項１０】
前記テープは、幅が１６０ｍｍ以下の感光性ドライフィルムレジストであることを特徴とする請求項１記載のロール固定梱包器具。
【発明の詳細な説明】
【技術分野】
【０００１】
本発明は、テープを円筒状のコア材に巻回してなるロールを固定する梱包器具であって、特に熱、衝撃、光、塵埃等からの保護を必要とするロール状のドライフィルムレジスト、ダイシングテープ、樹脂付銅箔、耐熱性絶縁フィルム等に代表される機能性フィルムの梱包器具に関するものである。
【背景技術】
【０００２】
近年、電子機器の進歩は目覚しく、コンピューター、家電製品、携帯電話、その他多くの電子機器は、ミクロン単位の精密な配線技術により作製されたプリント基板を用いて、工業的に大量に生産されている。
【０００３】
このような精密なプリント基板等に用いられるドライフィルムレジスト（以下、「ＤＦＲ」という）は、感光性の粘着組成物がポリエチレンテレフタレート（ポリエステル、以下、「ＰＥＴ」という）等のキャリアフイルムに担持され、更に防塵や、粘着組成物の取り扱いを容易にするための低密度ポリエチレン（以下、「ＬＤＰＥ」という）等のカバーフィルムの３層から形成されており、これをアクリロニトリル、ブタジエン、スチレンのコポリマーまたはこれ等のブレンド（以下、「ＡＢＳ」という）等の丸筒に長尺状に巻き取られたもので、用途に応じて必要な長さに切断して用いられる。
【０００４】
上記ＤＦＲは、その中のわずかな傷や厚みムラも製品に大きな影響を与える可能性がある。このため、フィルムロールの自重や外からの力で、フィルムロールが容器の一部に接触し、フィルムロールが変形、被傷または厚みムラを起こすことを防ぐ必要がある。そこでＤＦＲの場合、通常は、フィルムロールのコア材を保持し、テープ（フィルム）と容器が非接触となるよう梱包、搬送される。
【０００５】
従来、機能性フィルムのロールの梱包に用いる器具としては、例えば図８或は特開平７−１４９３４４号公報等に記載されたものが用いられていた。図８を用いて説明すれば、梱包器具103は、フィルムロール105の径よりやや大きめの通常四角の外枠101に囲まれた板状の中央に、円筒状の突起102を備えている。板面の裏側には様々な形をしたリブ（図示せず）を配置して、補強される場合もある。そして使用にあたっては、梱包器具103の円筒状の突起102をフィルムロール105の芯材となるコア104の両端の穴にさし込み、２個の梱包器具103と機能性フィルムロールのコア104でブリッジを形成してフィルムロール105を保持、固定する。その上で、紙製の段ボール箱に箱詰めして梱包した後、貯蔵保管したり搬送されている。尚、図７中、４は遮光性フィルムであり、筒状の遮光性フィルム４によりＤＦＲ１とコア２とを一体的に包装している。
【０００６】
【特許文献１】特開平７−１４９３４４号公報
【特許文献２】特開２００３−１６５６７６号公報
【特許文献３】特開２００３−０８９４７７号公報
【特許文献４】特開２００１−０８０６８９号公報
【発明の開示】
【発明が解決しようとする課題】
【０００７】
しかし、従来は、TAB(Tape Automated Bonding)や、COF(Chip On Film)などの狭の幅いフレキシブル基板に対応したドライフィルムに適した梱包体はなかった。すなわち、従来の梱包体では、プリント配線板用途のロールと同様に一つずつ梱包していたため、部品点数が多く、開梱、梱包に工数がかかり、スペースも多く必要となる。また、プリント配線板用途よりもはるかに高いクリーン度を要求されるTAB/COFなどの用途では、塵が付着、発生する段ボールによる梱包も難しい。組立、開梱、梱包に手間のかかる従来技術では、梱包体ごとクリーンルームに持ち込むことも難しく、また梱包体自体の洗浄も簡単にはできなかった。
【０００８】
そこで本発明は、テープを円筒状のコア材に巻回してなる複数のロールを複数収納し、狭いスペースで梱包および開梱が可能であり、かつ部品点数を削減してコストを低減可能な梱包器具を提供することを目的としている。
【課題を解決するための手段】
【０００９】
前記課題を解決するために、本発明の代表的な構成は、テープを円筒状のコア材に巻回してなるロールを固定する梱包器具であって、前記コア材の内部に挿通可能な断面形状を有する中芯と、略中心部に前記中芯の断面形状と略同じ形状の穴を有するプレートとを備え、前記中芯を前記ロールのコア材に挿通し、かつ該中芯の両端に前記プレートを嵌合させることにより、前記ロールを前記中芯から脱落不能に保持可能であり、前記コア材は、テープの幅よりも長く構成されており、連接した前記ロール同士において前記テープの側面が接触しないよう構成されているか、前記コア材の幅が前記テープの幅と略等しい場合には、コア材と断面形状が略等しいリング形状のスリーブを前記ロールの間に挿入することにより、テープ同士の接触を防止し、前記テープが感光性ドライフィルムレジストであって、前記ロールは保持された状態において擦動により回転自在に軸支されていることを特徴とする。これにより、感光性ドライフィルムレジストテープのロールを、テープと梱包材が非接触となるよう保持、梱包することができ、ロールを梱包器具に保持させた状態でロールからテープを引き出して使用することが可能となる。
【００１０】
また、前記中芯は前記コア材の幅の複数倍以上の長さを有し、複数の前記ロールを保持可能であることを特徴とする。これにより、幅の狭いフィルムを巻回したロールを、複数個まとめて保持することが可能となる。
【００１１】
また、前記中芯の断面形状は前記コア材の内径に収まる形状であることを特徴とする。
【００１２】
また、前記中芯の両端に嵌合するプレートのうち一方は、該中芯に固着し、もしくは該中芯と一体成形したことを特徴とする。これにより梱包状態における剛性が向上し、また梱包作業の軽減化を図ることができる。
【００１３】
また前記プレートは、外縁に少なくとも一つの直線部を備えていることを特徴とする。これにより、ロールを保持した梱包器具が転がってしまうことを防止し、安定的に載置することが可能となる。
【００１４】
また、さらに遮光性シートを備え、前記中芯は少なくとも一端に開口した中空形状を有し、前記遮光性シートは、前記ロールを保持した状態の前記中芯およびプレートを覆ったうえで、端部を前記中芯の開口に収容可能であることを特徴とする。これによりテープが感光することを防止する遮光性シートを、簡略に且つ確実に取り付けることができ、かつ迅速に除去することが可能となる。
【００１５】
また、前記遮光性シートは、前記中芯の端部方向両端が開口したチューブ状、もしくは一端が開口した袋状であることを特徴とする。これにより、取り付けと除去の簡便さを失うことなく、遮光の確実性を向上させることができる。
【００１６】
また、さらにプラスチック製の箱を備え、前記箱は、前記ロールを保持した状態の前記中芯およびプレート、または前記ロールを保持し前記遮光シートにて覆った状態の前記中芯およびプレートを収容可能であって、底面に対して側面および天面が展開可能であり、側面および天面の接片を着脱可能な係止部材を備えたことを特徴とする。塵埃の除去しやすいプラスチック製の箱を用いることにより洗浄が容易であり、載置した状態で展開可能であることから収容されたロールが取り出し容易であり、また係止部材を着脱して展開することによって小さな容積で収納、回収して再利用可能である。また、前記係止部材は、面ファスナーもしくはスナップホックが好適に利用することができる。
【００１７】
前記テープが感光性ドライフィルムレジストであることを特徴とする。ドライフィルムレジストにおいて特に本発明を有効に利用できる。
【発明の効果】
【００１８】
本発明によれば、テープが梱包材に非接触な状態で複数のロールをまとめて梱包することが可能であるため、ロールの数に対して狭いスペースで梱包することができ、また梱包に要する部品点数を削減することができる。特に、TABやCOF等の製造に用いられる狭幅の感光性ドライフィルムを、複数効率よく梱包することが可能となる。
【００１９】
また、ロールを梱包器具に保持させた状態でテープを引き出し可能であることから、フィルムの切り出しが容易となる。
【００２０】
また、簡単な梱包作業で確実に遮光を行うことができ、梱包体の洗浄、開梱、回収および再利用も容易となる。
【発明を実施するための最良の形態】
【００２１】
本発明に係るロール固定梱包器具（以下、単に梱包器具という）を、図を参照しながら説明する。図１はロール固定梱包器具の要部斜視図、図２はロール固定梱包器具の全体構成を説明する斜視図、図３は梱包器具の端部近傍を説明する要部断面図、図４は梱包器具の他の構成を説明する図、図５は中芯およびプレートの他の構成を説明する図、図６は箱の構成を説明する展開図、図７は箱にドラムを収納した状態を説明する図である。なお、以下の実施形態において具体的に示した寸法や数値、部材形状は理解を容易とするための例示であって、本発明を限定するものではない。
【００２２】
まず、梱包器具の概要について説明し、次に各部材の構成および条件について説明する。
【００２３】
図１に示すように、本発明に係る梱包器具は、テープ11を円筒状のコア材12に巻回してなるロール10を複数個保持するものである。本実施形態においてテープ11はTAB(Tape Automated Bonding)や、COF(Chip On Film)等の製造に用いられる狭幅のＤＦＲ（ドライフィルムレジスト）であり、その機能を損なわないために搬送時には衝撃や摺擦から保護する必要がある。またコア材12は、ＡＢＳ樹脂によって構成されている。なお、TABやCOF等の製造に用いられるＤＦＲの幅は一般的に１６０ｍｍ以下であり、かかる範囲において特に本発明は有効である。
【００２４】
かかるロール10を梱包する際には、中芯21をロール10のコア材12に挿通し、かつ中芯21の両端にプレート22の穴22ａを嵌合させることにより、ロール10を中芯21から脱落不能に保持する。このロール10を保持した状態の中芯21およびプレート22を、以下においてドラム20と称する。
【００２５】
そして図２に示すように、ドラム20を遮光性シート30によって覆い、箱40に収容する。箱40は組み立て式であって、収容する際に組み立てられ、開梱する際に展開される。
【００２６】
コア材12は、図３（ａ）に示すように、テープ11の幅よりも長く構成されており、連接したロール10同士においてテープ11の側面が接触しないよう構成されている。なお、コア材12の幅がテープ11の幅と略等しい場合には、図４に示すように、コア材12と断面形状が略等しいリング形状のスリーブ13をロール10の間に挿入することにより、テープ11同士の接触を防止することができる。
【００２７】
中芯21は円筒状の部材であって、本実施形態においては硬質ＰＥ（ポリエチレン）パイプである。中芯21の長さは、コア材の幅の複数倍の長さと、さらに両端に嵌合する２枚のプレート22の厚み、および若干の余裕を持たせた長さに構成している。上記複数倍とは、コア材の幅と、収容するロール10の数に応じて設定するが、偶数個のロール10を収納し売るよう設定することが好ましい。このように複数のロール10を収納可能であることから、部品点数を相対的に少なくすることができ、また容積的にも効率的に収納可能であり、梱包のためのコストも低減化することができる。
【００２８】
中芯21の外径ｄ１は、図３（ｂ）に示すように、コア材12の内径ｄ２よりも小さく設定しており、ロール10は保持された状態において擦動により回転自在に軸支されている。なお中芯21は円筒状に限らず、ロール10のコア材12に、遊びが少ない程度に挿通可能であればよい。従って例えば三角や四角、八角などの多角形状や、断面十字形のリブ構成であってもよい。ただし後述する如く遮光性シート30の端部を収容する必要性から、中芯21の少なくとも一方の端部は開口した中空形状である必要がある。
【００２９】
プレート22は、本実施形態においては発泡ポリプロピレン（発泡倍率３倍）にて構成しており、4mm厚、180mm角の正方形の四隅を円弧状にカットしたものである。なおプレート22の材質はこれに限らず、中芯21を圧入可能、もしくは係止可能であればよい。従って弾性を備えた他の素材の樹脂材料や、硬質な樹脂または金属材料であっても穴22ａ近傍に弾性部材を用いたり、硬質材料の穴22ａ近傍にスナップフィットを形成することでもよい。なおスナップフィットとは、例えばプレートに切り欠きを設けて舌状の弾性変形容易な部分を形成し、舌状部分の先端に設けた突部と中芯21に設けた凹部とが係止するよう構成したものである。
【００３０】
プレート22の形状は、四隅を直線的にカットしたり、円形の四方を直線的にカットすることでもよい。また、プレート22が正方形を基調としているのは転がり防止を目的とした設置安定性のためであるが、そのためには外縁に少なくとも一つの直線部を備えていればよい。従ってプレート22は、例えば円形を基調として１以上の直線部を設けたり、六角形や八角形などの多角形とすることでもよい。なおドラム20は箱40に収容する必要上、箱40の内部に効率よく収めるために、四方に直線部を有していることが好ましい。
【００３１】
プレート22の穴22ａは、プレート22の略中央部に設けられている。ここで穴22ａの位置は、ドラム20を載置した際に保持しているロール10のテープ11が載置面（床面）に接触することを防止するため、穴22ａの中心から全方向におけるプレート22の縁までの距離がロール10の半径よりも長いことが必要である。穴22ａの内径ｄ３は、図３（ｂ）に示すように、中芯21の外径ｄ１と略等しいか若干小さく設定しており、中芯21はプレート22の穴22ａに圧入により嵌合する。これによりプレート22は中芯21に固定され、ロール10を脱落不能に保持することができ、またドラム20を載置した際に傾くことなく全体を支持することができる。特に上記した如く発泡ポリプロピレンにて構成したことにより、その弾性により着脱の作業、すなわち梱包、開梱の作業が容易であり、かつ十分な耐荷重を得ることができる。
【００３２】
ここで、ドラム20を安定的に載置するために、両端のプレート22の直線部は位相が一致していることが好ましい。仮に位相が一致していなかったとしても載置する際に回転させればよいが、必然的に位相が一致していればさらに好適である。従って例えば、図５（ａ）に示すように中芯21に切欠21ａを設け、対するプレート22の穴22ａに突起22ｂを設けて、互いに嵌合させることにより位相を規定することでもよい。ただし材質が発泡ポリプロピレンである場合には、剛性があまり高くないため、突起はあまり小さいと破損を招くことに注意すべきである。また図５（ｂ）に示すように、中芯21の端部に平面部21ｂを設け、対する穴22ａに直線部22ｃを設けることでも良い。さらに、上記説明した如く中芯21は必ずしも円筒である必要はないから、図５（ｃ）に示すように中芯21の断面を四角形や八角形などの多角形とし、対する穴22ａも同一形状の多角形とすることでも良い。これにより、図５（ｂ）にて示したように一つの平面部を設ける場合よりも嵌合の自由度が増加するため、梱包作業が簡易になる。ここで、左右両端のプレート22の位相をあわせるために、穴22ａの多角形の直線部とプレート22の外縁の直線部は一致していることが望ましい。例えば中芯21および穴22ａが三角形であればプレート22も等間隔な３つの直線部を有し、八角形であればプレート22も８つの直線部を有するのが望ましい。
【００３３】
なお、ロール10の着脱のためには、中芯21の両端に嵌合するプレート22のうち、一方が着脱できれば十分である。従って一方のプレート22を中芯21に着脱不能に接着、溶着などによって固着したり、もしくは中芯21と一体成形することでもよい。このように構成することにより部品点数を減少させ、剛性の向上を図ることも可能であり、また作業工程も削減することが可能となる。
【００３４】
遮光性シート30は、本実施形態においては、図２に示した如く中芯21の端部方向両端が開口したチューブ状をなしており、図３（ａ）に示した如く端部の余剰部分を中芯21の端部の開口に詰め込んで収容している。余剰部分を溶着や接着により封止することも考えられるが、梱包及び開梱の作業を軽減するために、本実施形態の構成が好ましい。なお遮光性シート30は一端が開口した袋状であってもよく、余剰部分を同様に中芯21の開口に詰め込んで収容する。すなわち中芯21は、本実施形態においては中空の部材を用いているが、端部に遮光性シート30を収容可能な開口を備えていればよく、中央部は中実であってもよい。また遮光性シート30は、遮光性を備えていればその材質、色などに限定はなく、例えばポリエチレン製の黒色のビニール素材を好適に用いることができる。
【００３５】
箱40は、本実施形態においては黒色の低発泡プラスチックシートから構成されている。図６（ａ）は箱40の内面の展開図の例、図６（ｂ）は箱40の外面の展開図の例である。図に示すように、底面40ａに対して側面40ｂおよび天面40ｃが展開可能であり、側面40ｂおよび天面40ｃの接片を着脱可能な係止部材として面ファスナー41を備えている。このように、プラスチック製の箱を用いることにより、塵埃の発生がなく、また付着した塵埃も洗浄による除去が容易であり、梱包体ごとクリーンルームに持ち込むことが可能である。また載置した状態で展開可能であることから、梱包が容易であり、また収容されたロール10の取り出しも容易である。係止部材としては、面ファスナー41の他にもスナップホックや、その他既存の係止部材を利用することができる。このように係止部材を着脱して展開することにより、容易に展開して平面状にすることができるため、箱40を小さな容積で収納することができ、回収して再利用することが容易である。
【００３６】
図７は、箱40にドラム20を収納した状態を示す断面図である。図に示すように、箱40の内部においてドラム20が動いてしまうことを防止するために、箱40の内部は断面が略正方形であって、その間隔ｄ４よりもプレート22の平行する直線部間の距離ｄ５が若干小さい程度に設定されている。またロール10のテープ11の直径ｄ６は、上記プレート22の直線部間の距離ｄ５よりも十分小さい関係となるよう設定されており、箱40がたわんだ場合であってもテープ11に衝突しないよう保護している。
【００３７】
なお、箱40の展開図については図６に示したもののみでなく、底面に対して側面および天面が展開可能であればよく、他のさまざまな展開構成が考えられる。
【産業上の利用可能性】
【００３８】
本発明は、テープを円筒状のコア材に巻回してなるロールを複数収納する梱包器具として利用することができる。
【図面の簡単な説明】
【００３９】
【図１】ロール固定梱包器具の要部斜視図である。
【図２】ロール固定梱包器具の全体構成を説明する斜視図である。
【図３】梱包器具の端部近傍を説明する要部断面図である。
【図４】梱包器具の他の構成を説明する図である。
【図５】中芯およびプレートの他の構成を説明する図である。
【図６】箱の構成を説明する展開図である。
【図７】箱にドラムを収納した状態を説明する図である。
【図８】従来例に係るロールの梱包器具を説明する図である。
【符号の説明】
【００４０】
10    …ロール
11    …テープ
12    …コア材
13    …スリーブ
20    …ドラム
21    …中芯
21ａ  …切欠
21ｂ  …平面部
22    …プレート
22ａ  …穴
22ｂ  …突起
22ｃ  …直線部
30    …遮光性シート
40    …箱
40ａ  …底面
40ｂ  …側面
40ｃ  …天面
41    …面ファスナー
101   …外枠
102   …突起
103   …梱包器具
104   …コア
105   …フィルムロール
【図１】
0004679053.tif 000002
【図２】
0004679053.tif 000003
【図３】
0004679053.tif 000004
【図４】
0004679053.tif 000005
【図５】
0004679053.tif 000006
【図６】
0004679053.tif 000007
【図７】
0004679053.tif 000008
【図８】
0004679053.tif 000009